(57)【特許請求の範囲】
【請求項１】
屋上防水層のパラペット立上がり部において、
屋上床面に敷設した防水層を、
立上がり部において立ちあげ、
屋上床面と立上がり部との隅部には緩衝材を敷設し、
この緩衝材の上端には段差を設け、
段差部の下側の縁は、押えコンクリートの仕上げ高さと一致させ、
段差部の上側の縁は、押えコンクリートの仕上げ高さよりも高い位置に位置するように設置し、
その後に押えコンクリートをその仕上げ高さを段差部の下側の縁に一致させて打設して仕上げる、
パラペット立上がり部の施工方法
【請求項２】
緩衝材上端の段差部は、
上端を切り欠いて形成した緩衝材を使用し、
切り欠き下側の縁は、押えコンクリートの仕上げ高さと一致させ、
切り欠き上側の縁は、押えコンクリートの仕上げ高さよりも高い位置に位置するように設置して行う、
請求項１記載の、パラペット立上がり部の施工方法
【請求項３】
緩衝材は、立上がり部に接する側の緩衝材と、床面に接する側の緩衝材の２枚によって構成し、
立上がり部に接する側の緩衝材の上端は、押えコンクリートの仕上げ高さよりも高い位置になるよう設置し、
床面に接する側の緩衝材の上端は、押えコンクリートの仕上げ高さと一致するように設置して行う、
請求項１記載の、パラペット立上がり部の施工方法
【請求項４】
緩衝材の上端には、段差部を有する段差部材を取り付け、
段差部材の上側の縁は押えコンクリートの仕上げ高さよりも高い位置になるよう設置し、
段差部材の下側の縁は、押えコンクリートの仕上げ高さと一致するように設置して行う、
請求項１記載の、パラペット立上がり部の施工方法
【発明の詳細な説明】
【０００１】
【発明の属する技術分野】
本発明は、パラペット立上がり部の施工方法に関するものである。
【０００２】
【従来の技術】
屋上では屋上スラブに防水層を敷設した後、押えコンクリートを施工している。その場合に図６に示すように、パラペット立上がり部ｂでは防水層ａが立上がり、押えコンクリートｃと接触する。そこで防水層ａが押えコンクリートｃの伸縮の影響を受けないように、施工時の保護もかねて発泡樹脂製の緩衝材ｄを設置して施工している。
【０００３】
【本発明が解決しようとする課題】
前記した従来のパラペット立上がり部の施工方法にあっては、次のような問題点がある。
＜イ＞従来は緩衝材ｄの上縁の高さは、押えコンクリートｃの仕上げ高さと一致させている。そのために、押えコンクリートｃの施工中に、余分なコンクリートｃが緩衝材ｄを隠してしまい、その結果仕上げ高さが不正確になる可能性があった。
＜ロ＞押えコンクリートｃのコテならし作業時に、緩衝材ｄの上縁を定規として利用して高さをそろえる基準としている。そのために金属製のコテｅの先端が防水層ａを損傷する可能性もあった。
【０００４】
本発明は上記したような従来の問題を解決するためになされたもので、コテならしの定規としても利用でき、かつ防水層を損傷する可能性のない、パラペット立上がり部の施工方法を提供することを目的とする。
【０００５】
【課題を解決するための手段】
上記のような目的を達成するために、本発明のパラペット立上がり部の施工方法は、屋上防水層のパラペット立上がり部において、屋上床面に敷設した防水層を、立上がり部において立ちあげ、屋上床面と立上がり部との隅部には緩衝材を敷設し、この緩衝材の上端には段差を設け、段差部の下側の縁は、押えコンクリートの仕上げ高さと一致させ、段差部の上側の縁は、押えコンクリートの仕上げ高さよりも高い位置に位置するように設置し、その後に押えコンクリートをその仕上げ高さを段差部の下側の縁に一致させて打設して仕上げる、パラペット立上がり部の施工方法を特徴としたものである。
【０００６】
【本発明の実施の態様】
以下図面を参照しながら本発明のパラペット立上がり部の施工方法の実施例について説明する。
【０００７】
＜イ＞パラペット部の構成。
前記したように、屋上防水層のパラペット立上がり部１では、屋上床面に敷設した防水層３を鉛直に立上げて立上がり部１を構成する。
この屋上床面２と立上がり部１との隅部には断面がＬ字状に形成した緩衝材４を敷設する。
【０００８】
＜ロ＞緩衝材４の段差部。
この緩衝材４の上端は、前記したように従来は一定の高さに形成してあり、この上縁が押えコンクリートの仕上げ面であった。
しかし本発明では、緩衝材４の上端には段差部４１を設ける。
すなわち段差部４１が下側の縁４１ａと、上側の縁４１ｂを形成することになる。
そして段差部４１の下側の縁４１ａは、押えコンクリートを打設する際に、コンクリートの仕上げ高さと一致する位置に設置する。
一方、段差部４１の上側の縁４１ｂは、押えコンクリートの仕上げ高さよりも高い位置に位置するように設置する。
【０００９】
＜ハ＞コンクリートの打設。
上記のような位置関係を維持した状態で緩衝材４を立上がり部１と床面２との隅部に取り付ける。
その後に押えコンクリート５を打設する。緩衝材４には段差部４１が形成してあるから、コンクリート５の仕上げ高さは段差部４１の下側の縁４１ａに一致させれば、正確な寸法でコンクリート５を打設して仕上げることができる。
一方、緩衝材４の段差部４１の上側の縁４１ｂは、仕上げ高さよりも高い位置に位置しているから、仕上げのコテの先端が衝突しても直接に防水層３に当たることがなく、損傷することがない。
【００１０】
＜ニ＞段差部４１の形成方法（１）。（図３）
緩衝材４上端の段差部４１を形成するには、緩衝材４の上端の内側（立上がり部１に接しない側）をＬ型に切り欠いて形成することができる。
そして折り曲げ部分には折り曲げる外側から、長手方向に平行に複数本の切り込み４２を入れておく。すると容易に直角に折り曲げることができる。
こうして、段差部４１の切り欠き部の下側の縁４１ａが押えコンクリート５の仕上げ高さと一致し、切り欠き上側の縁４１ｂが押えコンクリート５の仕上げ高さよりも高い位置に位置するように設置することができる。
そして押えコンクリート５を打設する。
コンクリート５の仕上げ高さを段差部４１の下側の縁４１ａに一致させれば、正確な寸法でコンクリート５を打設して仕上げることができる。
一方、緩衝材４の段差部４１の上側の縁４１ｂは、仕上げ高さよりも高い位置に設置する。すると仕上げのコテの先端が衝突しても直接に防水層３に当たることがなく、損傷することがない。
【００１１】
＜ホ＞段差部４１の形成方法（２）（図４）
緩衝材４は、立上がり部１に接する側の緩衝材４と、床面２に接する側の緩衝材４の２枚によって構成する。
２枚の緩衝材４を接着した場合に、両緩衝材４の先端の位置をずらして段差部４１を設ける。
そして立上がり部１に接する側の緩衝材４の上端は、押えコンクリート５の仕上げ高さよりも高い位置になる寸法に形成し、現場ではその位置に設置する。
一方、床面２に接する側の緩衝材４の上端は、押えコンクリート５の仕上げ高さと一致する寸法に形成し、現場ではその位置に設置する。
そして押えコンクリート５を打設する。
コンクリート５の仕上げ高さを、段差部４１の下側の縁４１ａに一致させれば、正確な寸法でコンクリート５を打設して仕上げることができる。
一方、緩衝材４の段差部４１の上側の縁４１ｂは、仕上げ高さよりも高い位置に設置する。すると仕上げのコテの先端が衝突しても直接に防水層３に当たることがなく、損傷することがない。
【００１２】
＜ヘ＞段差部４１の形成方法（３）。（図５）
緩衝材４の上端に、段差部４１を有する段差部４１材を取り付ける。
この段差部４１材は、上側の縁４１ｂと下側の縁４１ａを備えた長尺部材であり緩衝材４への取り付け溝を備えている。
緩衝材４へ取り付けて現場に設置する場合に、段差部４１材の上側の縁４１ｂは押えコンクリート５の仕上げ高さよりも高い位置になるよう設置する。
一方、段差部４１材の下側の縁４１ａは、押えコンクリート５の仕上げ高さと一致するように設置する。
そして押えコンクリート５を打設する。コンクリート５の仕上げ高さを段差部４１材の下側の縁４１ａに一致させれば、正確な寸法でコンクリート５を打設して仕上げることができる。
一方、緩衝材４の段差部４１材の上側の縁４１ｂは、仕上げ高さよりも高い位置に設置する。
すると仕上げのコテの先端が衝突しても直接に防水層３に当たることがなく、損傷することがない。
【００１３】
【本発明の効果】
本発明のパラペット立上がり部１の施工方法は以上説明したようになるから次のような効果を得ることができる。
＜イ＞防水層３の表面が、段差部４１の高い方の部材で保護されているから、コンクリート５の仕上げ時にコテの先端が衝突することがなく、大切な防水層３を損傷する危険性がない。
＜ロ＞段差部４１の低い方の縁がコンクリート５の仕上げ高さを表しているから、正確な厚さのコンクリート５を、容易に打設することができる。
【図面の簡単な説明】
【図１】本発明のパラペット立上がり部の分解説明図。
【図２】パラペット立上がり部の施工状態の説明図。
【図３】緩衝材の段差部の形状の説明図。
【図４】緩衝材の段差部の形状の説明図。
【図５】緩衝材の段差部の形状の説明図。
【図６】従来のパラペット立上がり部の施工方法の実施例の説明図。
【図１】
0003775915.tif 000002
【図２】
0003775915.tif 000003
【図３】
0003775915.tif 000004
【図４】
0003775915.tif 000005
【図５】
0003775915.tif 000006
【図６】
0003775915.tif 000007